(57)【要約】【課題】  赤ちゃんの体重のように経時により変化する測定値と画像とを、手間をかけることなく互いに関連づけて表示する。【解決手段】  測定値と測定日との関係を表すグラフ２３Ａを表示し、指示スライダー２３Ｅにより所望とする体重を指示する。指示した体重の測定日を推定し、推定された測定日の前後数日間の撮影日を表す撮影日情報が付与された画像を検索し、検索した画像のサムネイル画像の一覧を表示する。【選択図】          図６
2005338984.tif 000002
【特許請求の範囲】
【請求項１】
経時により変化する測定値を、測定日と対応づけて保存する測定値保存手段と、
撮影日情報が付与された複数の画像を保存する画像保存手段と、
各種表示を行う表示手段と、
所望とする測定値の指示を受け付ける入力手段と、
前記測定日と対応づけて保存された測定値を参照して、前記指示された測定値に対応する測定日を含む所定範囲の撮影日を表す撮影日情報が付与された画像を前記画像保存手段から検索する検索手段と、
前記検索された画像を前記所望とする測定値とともに前記表示手段に表示する表示制御手段とを備えたことを特徴とする画像表示装置。
【請求項２】
前記表示制御手段は、前記測定値保存手段を参照して、前記測定日と前記測定値との関係を表すグラフを前記表示手段に表示する手段であり、
前記入力手段は、前記グラフ上において所望とする測定値の指示を受け付ける手段であることを特徴とする請求項１記載の画像表示装置。
【請求項３】
経時により変化する測定値を、測定日と対応づけて保存する測定値保存手段と、
撮影日情報が付与された複数の画像を保存する画像保存手段と、
各種表示を行う表示手段と、
所望とする画像の指示を受け付ける入力手段と、
前記測定日と対応づけて保存された測定値を参照して、前記指示された画像に付与された撮影日情報により表される撮影日における測定値を取得する測定値取得手段と、
前記取得された測定値を前記所望とする画像とともに前記表示手段に表示する表示制御手段とを備えたことを特徴とする画像表示装置。
【請求項４】
前記表示制御手段は、前記画像保存手段に保存された複数の画像の一覧を前記表示手段に表示する手段であり、
前記入力手段は、前記画像の一覧において前記所望とする画像の指示を受け付ける手段であることを特徴とする請求項３記載の画像表示装置。
【請求項５】
経時により変化する測定値を、測定日と対応づけて保存する測定値保存手段と、
撮影日情報が付与された複数の画像を保存する画像保存手段と、
各種表示を行う表示手段と、
前記測定値を複数の区分に分類し、該測定値の区分のそれぞれに対応する測定日の区分に含まれる撮影日を表す撮影日情報が付与された画像を前記測定日の区分毎に前記画像保存手段から検索する検索手段と、
前記検索された画像を前記測定値の区分と対応づけて前記表示手段に表示する表示制御手段とを備えたことを特徴とする画像表示装置。
【請求項６】
所望とする測定値の指示を受け付け、
測定日と対応づけて保存された測定値を参照して、撮影日情報が付与された複数の画像から、前記指示された測定値に対応する測定日を含む所定範囲の撮影日を表す撮影日情報が付与された画像を検索し、
前記検索された画像を前記所望とする測定値とともに表示することを特徴とする画像表示方法。
【請求項７】
撮影日情報が付与された複数の画像から所望とする画像の指示を受け付け、
測定日と対応づけて保存された測定値を参照して、前記指示された画像に付与された撮影日情報により表される撮影日における測定値を取得し、
前記取得された測定値を前記所望とする画像とともに表示することを特徴とする画像表示方法。
【請求項８】
測定日と対応づけて保存された測定値を複数の区分に分類し、
撮影日情報が付与された複数の画像から、該測定値の区分のそれぞれに対応する測定日の区分に含まれる撮影日を表す撮影日情報が付与された画像を前記測定日の区分毎に検索し、
前記検索された画像を前記測定値の区分と対応づけて表示することを特徴とする画像表示方法。
【請求項９】
所望とする測定値の指示を受け付ける手順と、
測定日と対応づけて保存された測定値を参照して、撮影日情報が付与された複数の画像から、前記指示された測定値に対応する測定日を含む所定範囲の撮影日を表す撮影日情報が付与された画像を検索する手順と、
前記検索された画像を前記所望とする測定値とともに表示する手順とを有することを特徴とする画像表示方法をコンピュータに実行させるためのプログラム。
【請求項１０】
撮影日情報が付与された複数の画像から所望とする画像の指示を受け付ける手順と、
測定日と対応づけて保存された測定値を参照して、前記指示された画像に付与された撮影日情報により表される撮影日における測定値を取得する手順と、
前記取得された測定値を前記所望とする画像とともに表示する手順とを有することを特徴とする画像表示方法をコンピュータに実行させるためのプログラム。
【請求項１１】
測定日と対応づけて保存された測定値を複数の区分に分類する手順と、
撮影日情報が付与された複数の画像から、該測定値の区分のそれぞれに対応する測定日の区分に含まれる撮影日を表す撮影日情報が付与された画像を前記測定日の区分毎に検索する手順と、
前記検索された画像を前記測定値の区分と対応づけて表示する手順とを有することを特徴とする画像表示方法をコンピュータに実行させるためのプログラム。
【発明の詳細な説明】
【技術分野】
【０００１】
本発明は、例えば赤ちゃんの成長記録のような画像を表示する画像表示方法および装置並びに画像表示方法をコンピュータに実行させるためのプログラムに関するものである。
【背景技術】
【０００２】
例えば、赤ちゃんの成長記録のようなアルバムを作成する場合、デジタルカメラを用いて撮影を行うことにより、画像データのタグに撮影日情報を記述することにより、撮影日情報が画像データに付与されるため、画像データを用いて作成したデジタルのアルバムにおいて撮影日を表示するようにすれば、月日とともに赤ちゃんがどのように成長するかを楽しむことができる。一方、母子手帳には赤ちゃんの体重が月齢に応じて記録されている。このため、アルバムを見ながら母子手帳を参照すれば、赤ちゃんの成長を体重の変化とともに楽しむことができる。
【０００３】
一方、画像データのタグに、画像データにより表される画像に含まれる人物の氏名や生年月日等の個人情報を記述することにより、個人情報をキーワードとして画像データを検索するシステムが提案されている（特許文献１参照）。また、画像と位置情報とを対応づけて保存し、地図上における所望とする位置を指定することにより、指定した位置の位置情報に対応づけられた画像を地図上に表示するようにしたシステムが提案されている（特許文献２参照）。特許文献１，２に記載されたようなあらかじめ画像に何らかの情報を対応づけるシステムを用いることにより、画像データのタグに、撮影日における赤ちゃんの体重をあらかじめ記述しておき、アルバムにおいてコメントを表示するようにすれば、母子手帳を参照することなく、赤ちゃんの成長を体重の変化とともに楽しむことができる。
【０００４】
また、赤ちゃんの誕生日のような基準日から画像の撮影日までの経過日数に応じて、選択したメッセージを画像とともに表示するシステムも提案されている（特許文献３参照）。このシステムを用いることにより、アルバムに含まれる画像に、基準日からの経過日数に応じたメッセージを表示できるため、アルバムをより魅力のあるものとすることができる。
【特許文献１】特開２００１−２９７０９０号公報
【特許文献２】特開２００３−９９４５１号公報
【特許文献３】特開２００３−１８９２１７号公報
【発明の開示】
【発明が解決しようとする課題】
【０００５】
しかしながら、赤ちゃんの成長記録のアルバムに母子手帳に記録した体重を含めるためには、アルバムに含める画像データのすべてに対してプロパティ画面を開いてコメントの欄に体重を入力して保存する作業が必要であることから、非常に手間がかかる。
【０００６】
本発明は上記事情に鑑みなされたものであり、赤ちゃんの体重のように経時により変化する測定値と画像とを、手間をかけることなく互いに関連づけて表示することを目的とする。
【課題を解決するための手段】
【０００７】
本発明による第１の画像表示装置は、経時により変化する測定値を、測定日と対応づけて保存する測定値保存手段と、
撮影日情報が付与された複数の画像を保存する画像保存手段と、
各種表示を行う表示手段と、
所望とする測定値の指示を受け付ける入力手段と、
前記測定日と対応づけて保存された測定値を参照して、前記指示された測定値に対応する測定日を含む所定範囲の撮影日を表す撮影日情報が付与された画像を前記画像保存手段から検索する検索手段と、
前記検索された画像を前記所望とする測定値とともに前記表示手段に表示する表示制御手段とを備えたことを特徴とするものである。
【０００８】
なお、本発明による第１の画像表示装置おいて、指定された測定値に対応する測定日がない場合には、測定日と対応づけて保存されている、指定された測定値の前後の測定値に対応する測定日を用いて、指定された測定値の測定日を推定すればよい。
【０００９】
「指定された測定値に対応する測定日を含む所定範囲の撮影日」とは、指定された測定値に対応する測定日に一致する撮影日のみならず、指定された測定値に対応する測定日に一致する撮影日およびこれに前後する所定日数の撮影日も含む。なお、指定された測定値に対応する測定日に一致する撮影日を表す撮影日情報が付与された画像がない場合には、指定された測定値に対応する測定日の前後数日間の撮影日を表す撮影日情報が付与された画像を検索すればよい。
【００１０】
なお、本発明による第１の画像表示装置においては、前記表示制御手段を、前記測定値保存手段を参照して、前記測定日と前記測定値との関係を表すグラフを前記表示手段に表示する手段とし、
前記入力手段を、前記グラフ上において所望とする測定値の指示を受け付ける手段としてもよい。
【００１１】
本発明による第２の画像表示装置は、経時により変化する測定値を、測定日と対応づけて保存する測定値保存手段と、
撮影日情報が付与された複数の画像を保存する画像保存手段と、
各種表示を行う表示手段と、
所望とする画像の指示を受け付ける入力手段と、
前記測定日と対応づけて保存された測定値を参照して、前記指示された画像に付与された撮影日情報により表される撮影日における測定値を取得する測定値取得手段と、
前記取得された測定値を前記所望とする画像とともに前記表示手段に表示する表示制御手段とを備えたことを特徴とするものである。
【００１２】
「指定された画像に付与された撮影日情報により表される撮影日における測定値を取得する」とは、測定値と対応づけて保存された測定日に、指定された画像に付与された撮影日情報により表される撮影日に一致する測定日が存在する場合にはその測定日を取得することを意味するが、存在しない場合には、測定日と対応づけて保存されている測定値を参照して、撮影日における測定値を推定することにより取得すればよい。
【００１３】
なお、本発明による第２の画像表示装置においては、前記表示制御手段を、前記画像保存手段に保存された複数の画像の一覧を前記表示手段に表示する手段とし、
前記入力手段を、前記画像の一覧において前記所望とする画像の指示を受け付ける手段としてもよい。
【００１４】
本発明による第３の画像表示装置は、経時により変化する測定値を、測定日と対応づけて保存する測定値保存手段と、
撮影日情報が付与された複数の画像を保存する画像保存手段と、
各種表示を行う表示手段と、
前記測定値を複数の区分に分類し、該測定値の区分のそれぞれに対応する測定日の区分に含まれる撮影日を表す撮影日情報が付与された画像を前記測定日の区分毎に前記画像保存手段から検索する検索手段と、
前記検索された画像を前記測定値の区分と対応づけて前記表示手段に表示する表示制御手段とを備えたことを特徴とするものである。
【００１５】
本発明による第１の画像表示方法は、所望とする測定値の指示を受け付け、
測定日と対応づけて保存された測定値を参照して、撮影日情報が付与された複数の画像から、前記指示された測定値に対応する測定日を含む所定範囲の撮影日を表す撮影日情報が付与された画像を検索し、
前記検索された画像を前記所望とする測定値とともに表示することを特徴とするものである。
【００１６】
本発明による第２の画像表示方法は、撮影日情報が付与された複数の画像から所望とする画像の指示を受け付け、
測定日と対応づけて保存された測定値を参照して、前記指示された画像に付与された撮影日情報により表される撮影日における測定値を取得し、
前記取得された測定値を前記所望とする画像とともに表示することを特徴とするものである。
【００１７】
本発明による第３の画像表示方法は、測定日と対応づけて保存された測定値を複数の区分に分類し、
撮影日情報が付与された複数の画像から、該測定値の区分のそれぞれに対応する測定日の区分に含まれる撮影日を表す撮影日情報が付与された画像を前記測定日の区分毎に検索し、
前記検索された画像を前記測定値の区分と対応づけて表示することを特徴とするものである。
【００１８】
なお、本発明による第１から第３の画像表示方法をコンピュータに実行させるためのプログラムとして提供してもよい。
【発明の効果】
【００１９】
本発明の第１の画像表示装置および方法によれば、所望とする測定値の指示が受け付けられると、指示された測定値に対応する測定日を含む所定範囲の撮影日を表す情報が付与された画像が検索され、検索された画像が所望とする測定値とともに表示される。このため、ユーザは所望とする測定値を指示することにより、何ら手間のかかる作業を行わなくてもその測定値に対応する測定日を含む所定範囲の撮影日において撮影がなされた画像を測定値とともに見ることができる。したがって、例えば測定値を赤ちゃんの体重、画像を赤ちゃんの画像とした場合、所望とする体重のときの赤ちゃんの画像を表示することができるため、赤ちゃんの成長記録を体重とともに楽しむことができる。
【００２０】
また、測定日と測定値との関係を表すグラフを表示し、グラフ上において所望とする測定値の指示を受け付けることにより、所望とする測定値を簡易に指示することができる。
【００２１】
本発明の第２の画像表示装置および方法によれば、所望とする画像の指示が受け付けられると、測定日と対応づけて保存された測定値が参照されて、指示された画像に付与された撮影日情報により表される撮影日における測定値が取得され、取得された測定値が指示された画像とともに表示される。このため、ユーザは所望とする画像を指示することにより、何ら手間のかかる作業を行わなくてもその画像の撮影日における測定値を画像とともに見ることができる。したがって、例えば測定値を赤ちゃんの体重、画像を赤ちゃんの画像とした場合、赤ちゃんの所望とする画像とともにその画像を取得したときに体重を表示することができるため、赤ちゃんの成長記録を体重とともに楽しむことができる。
【００２２】
また、画像の一覧を表示し、この一覧において所望とする画像の指示を受け付けることにより、所望とする画像を簡易に指示することができる。
【００２３】
本発明の第３の画像表示装置および方法によれば、測定値が複数の区分に分類され、測定値の区分のそれぞれに対応する測定日の区分に含まれる撮影日を表す撮影日情報が付与された画像が測定日の区分毎に検索され、検索された画像が測定値の区分と対応づけられて表示される。したがって、例えば測定値を赤ちゃんの体重、画像を赤ちゃんの画像とした場合、赤ちゃんの体重の区分に応じた画像を容易に参照できるため、赤ちゃんの成長記録を体重とともに楽しむことができる。
【発明を実施するための最良の形態】
【００２４】
以下、図面を参照して本発明の実施形態について説明する。図１は本発明の第１の実施形態による画像表示装置の構成を示す概略ブロック図である。図１に示すように、第１の実施形態による画像表示装置１は、各種表示を行う液晶モニタ等の表示部３、各種入力を行うキーボードおよびマウス等からなる入力部５、画像表示プログラムを含む、本実施形態による画像表示装置１を制御するための各種プログラムおよび画像データ等の各種データを保存するハードディスク７、各種プログラムを実行することにより本実施形態による画像表示装置１を制御するＣＰＵ９、プログラム実行時の作業領域となるメモリ１１、メモリカード１３からの情報の読み取りおよび情報の書き込みを行うカードドライブ１５、並びにカードドライブ１５のインターフェース（Ｉ／Ｆ）１７がバス１９により接続されて構成されている。
【００２５】
第１の実施形態においては、ユーザは母子手帳に記載されている赤ちゃんの体重および体重の測定日を画像表示装置１に入力するとともに、ユーザがデジタルカメラにより取得した赤ちゃんの画像を表す画像データを画像表示装置１に入力し、所望とする体重を指示することにより、体重とその体重を測定した測定日の前後数日間の撮影日において撮影された画像のサムネイル画像の一覧を表示部３に表示するようにしたものである。
【００２６】
ここで、母子手帳には、赤ちゃんが生まれたときの体重、１ヶ月後の体重、２ヶ月後の体重…というように、赤ちゃんの月齢に応じた体重が記載されている。したがって、まず、第１の実施形態においては、ユーザが母子手帳に記載されている赤ちゃんの体重および体重の測定日を入力部５から画像表示装置１に入力する。これにより、赤ちゃんの月齢と体重との関係を表すテーブルが作成されてハードディスク７に保存される。
【００２７】
図２は赤ちゃんの月齢と体重との関係を表すテーブルの例を示す図である。図２に示すように、このテーブルＴ０には、赤ちゃんの誕生日の測定回数を０回目とした測定回数、測定日および測定日に測定した赤ちゃんの体重が記述されている。
【００２８】
また、ユーザは、ユーザがデジタルカメラにより取得した赤ちゃんの画像データを記録したメモリカード１３をカードドライブ１５にセットし、メモリカード１３に記録された画像データを読み出す指示を画像表示装置１に対して行うことにより、画像データをハードディスク７に保存する。ここで、画像データのタグには撮影日を表す撮影日情報が記述されている。
【００２９】
次いで、第１の実施形態において行われる処理について説明する。図３は第１の実施形態において行われる処理を示すフローチャートである。ユーザが画像表示プログラムを実行する指示を入力部５を用いて行うことにより処理が開始され、ＣＰＵ９は画像表示プログラムにより、ハードディスク７に保存されたテーブルＴ０を参照して、画像表示のための操作画面を表示部３に表示する（ステップＳＴ１）。
【００３０】
図４は第１の実施形態における操作画面を示す図である。図４に示すように操作画面２１には、体重表示フィールド２３および画像一覧表示フィールド２５が表示される。体重表示フィールド２３には、テーブルＴ０を参照することにより作成された赤ちゃんの月齢と体重との関係を表すグラフ２３Ａを表示するグラフ表示フィールド２３Ｂ、グラフ表示フィールド２３Ｂの月齢をスクロールするスクロールバー２３Ｃ、グラフ表示フィールド２３Ｂの体重をスクロールするスクロールバー２３Ｄ、グラフ２３Ａ上においてユーザが所望とする体重を指示するための指示スライダー２３Ｅおよび画像の表示を指示するための表示ボタン２３Ｆが表示されている。
【００３１】
グラフ２３Ａは、測定日を横軸、体重を縦軸にとり、テーブルＴ０に記述された測定日および体重をプロットすることにより作成される。なお、測定日間の体重は適宜補間されてプロットされる。
【００３２】
指示スライダー２３Ｅは、グラフ表示フィールド２３Ｂに向けて延在しており、グラフ２３Ａとの交点における体重をユーザが所望とする体重として指示するものである。
【００３３】
画像一覧表示フィールド２５には、後述するサムネイル画像の一覧を表示する一覧フィールド２５Ａ、一覧フィールド２５Ａをスクロールするスクロールバー２５Ｂおよびステータスバー２５Ｃが表示される。ユーザはスクロールバー２５Ｂを用いることにより、一覧表示フィールド２５Ａに表示しきれないサムネイル画像を表示することができる。
【００３４】
ユーザは、グラフ表示フィールド２３Ｂにおいて赤ちゃんの月齢と体重との関係をグラフ２３Ａとして見ることができる。また、グラフ表示フィールド２３Ｂにグラフ２３Ａが表示しきれない場合は、スクロールバー２３Ｃ，２３Ｄを操作することにより、所望とする月齢および体重のグラフ２３Ａをグラフ表示フィールド２３Ｂに表示することができる。
【００３５】
ＣＰＵ９は、操作画面２１の表示後、ユーザが指示スライダー２３Ｅを移動して所望とする体重を指示し、さらに表示ボタン２３Ｆをクリックしたか否かの監視を開始する（ステップＳＴ２）。ステップＳＴ２が肯定されると、ＣＰＵ９はユーザが指示スライダー２３Ｅにより指示した体重（以下指示体重とする）に一致または前後する体重の測定値がテーブルＴ０に記述されているか否かを判定する（ステップＳＴ３）。例えば、図２に示すテーブルＴ０において測定回数が３回までしか記述されていないとすると、指示体重が２８００ｇあるいは４３００ｇである場合ステップＳＴ３は否定される。逆に指示体重が３３００ｇあるいは３９００ｇ等である場合ステップＳＴ３は肯定される。
【００３６】
そして、ステップＳＴ３が否定されるとリターンする。ステップＳＴ３が肯定されると、指示体重に対応する測定日を推定し（ステップＳＴ４）、推定した測定日を保存する（ステップＳＴ５）。具体的には、下記の式（１）により測定日を推定する。  
ｄ０＝ｄ１＋（ｄ２−ｄ１）×（Ｖ０−Ｖ１）／（Ｖ２−Ｖ１）    （１）
但し、ｄ０：推定した測定日
Ｖ０：指示体重
Ｖ１：テーブルＴ０に含まれる指示体重より小さく、指示体重に最も近い測定された体重
Ｖ２：テーブルＴ０に含まれる指示体重より大きく、指示体重に最も近い測定された体重
ｄ１：体重Ｖ１の測定日
ｄ２：体重Ｖ２の測定日
ここで、指示体重がテーブルＴ０に記述されている場合には、テーブルＴ０に記述された指示体重を測定した測定日を推定した測定日として保存する。
【００３７】
なお、赤ちゃんの月齢と体重との関係は、図４に示すグラフ２３Ａのように月齢に応じて体重が増加する場合のみならず、図５に示すグラフ２３Ｇのように月齢に応じて体重が増減する場合がある。このような場合には、指示スライダー２３Ｅとグラフ２３Ｇとは複数箇所において交差することとなる。このため、ＣＰＵ９は指示スライダー２３Ｅとグラフとが複数箇所において交差することにより、推定する測定日が複数あるか否かを判定する（ステップＳＴ６）。ステップＳＴ６が肯定されると、すべての測定日の推定が終了したか否かを判定し（ステップＳＴ７）、ステップＳＴ７が否定されると処理の対象を次の測定日に設定し（ステップＳＴ８）、ステップＳＴ３へ戻る。
【００３８】
ステップＳＴ６が否定される、あるいはステップＳＴ７が肯定されると、ＣＰＵ９は、推定した測定日の前後数日間（例えば前後それぞれ７日間）の撮影日を表す撮影日情報が付与された画像データをハードディスク７から検索する（ステップＳＴ９）。そして、検索した画像データのサムネイル画像の一覧を生成し（ステップＳＴ１０）、サムネイル画像の一覧を表示部３の操作画面に表示し（ステップＳＴ１１）、リターンする。
【００３９】
図６はサムネイル画像が一覧された操作画面を示す図である。図６に示すように操作画面２１の一覧表示フィールド２５Ａには、ユーザが指示スライダー２３Ｅにより指示した体重の頃に撮影した赤ちゃんの画像の一覧が表示される。また、ステータスバー２５Ｃには指示体重（ここでは３６００ｇ）が表示される。さらに、ユーザが一覧表示フィールド２５Ａにおける所望とするサムネイル画像をクリックすると、その画像を表す画像データに付与された撮影日情報により表される撮影日（例えば２００４年２月１４日）がステータスバー２５Ｃに表示される。
【００４０】
このように、第１の実施形態においては、ユーザが指示スライダー２３Ｅにより体重を指示すると、指示体重を得た測定日を推定し、推定された測定日を含む前後数日間の撮影日を表す撮影日情報が付与された画像データを検索し、検索した画像データの一覧を指示体重とともに表示するようにしたものである。
【００４１】
このため、ユーザは、所望とする体重を指示することにより、何ら手間のかかる作業を行わなくても所望とする体重のときの赤ちゃんの画像を表示部３に表示することができ、これにより、ユーザは赤ちゃんの成長記録を体重とともに楽しむことができる。
【００４２】
なお、上記実施形態においては、指示スライダー２３Ｅによりユーザが所望とする体重を指示しているが、体重の値を直接入力する等、任意の手法により体重を指示することができるものである。
【００４３】
次いで、本発明の第２の実施形態について説明する。上記第１の実施形態においてはユーザが指示スライダー２３Ｅによりグラフ２３Ａ上の体重を指示することにより、その体重に対応する推定された測定日の前後数日間の撮影日において撮影がなされた画像の一覧を表示しているが、第２の実施形態においては、まずハードディスク７に保存されたすべての画像データのサムネイル画像の一覧を表示し、サムネイル画像の一覧においてユーザが指示した画像の撮影日の体重を推定して表示するようにしたものである。なお、第２の実施形態における画像表示装置は第１の実施形態による画像表示装置１と同様の構成を有する。
【００４４】
以下、第２の実施形態において行われる処理について説明する。図７は第２の実施形態において行われる処理を示すフローチャートである。ユーザが画像表示プログラムを実行する指示を入力部５を用いて行うことにより処理が開始され、ＣＰＵ９は画像表示プログラムにより、ハードディスク７に保存された画像データのサムネイル画像の一覧を生成し（ステップＳＴ２１）、サムネイル画像の一覧を表示部３の操作画面に表示する（ステップＳＴ２２）。
【００４５】
図８は第２の実施形態における操作画面を示す図である。図８に示すように、第２の実施形態における操作画面３１には、体重表示フィールド３３および画像一覧表示フィールド３５が表示される。
【００４６】
体重表示フィールド３３には後述するように推定した体重が表示される。
【００４７】
画像一覧表示フィールド３５には、サムネイル画像の一覧を表示する一覧フィールド３５Ａ、一覧フィールド３５Ａをスクロールするスクロールバー３５Ｂが表示される。ユーザはスクロールバー３５Ｂを用いることにより、一覧表示フィールド３５Ａに表示しきれないサムネイル画像を表示することができる。
【００４８】
ＣＰＵ９は、操作画面３１の表示後、ユーザが入力部５を用いてサムネイル画像の一覧に含まれる所望とするサムネイル画像をクリックすることにより指示したか否かの監視を開始する（ステップＳＴ２３）。ステップＳＴ２３が肯定されると、ＣＰＵ９はユーザが指示したサムネイル画像を表す画像データに付与された撮影日情報により表される撮影日（以下指示撮影日とする）に一致または前後する体重の測定日がテーブルＴ０に記述されているか否かを判定する（ステップＳＴ２４）。例えば、図２に示すテーブルＴ０において測定回数が３回までしか記述されていないとすると、指示撮影日が２００３年１２月２日である場合ステップＳＴ２４は否定される。逆に指示撮影日が２００４年２月１４日である場合ステップＳＴ２４は肯定される。
【００４９】
そして、ステップＳＴ２４が否定されるとリターンする。ステップＳＴ２４が肯定されると、指示撮影日に対応する体重を推定する（ステップＳＴ２５）。具体的には、下記の式（２）により体重を推定する。  
Ｖ１０＝Ｖ１１＋（Ｖ１２−Ｖ１１）×（ｄ１０−ｄ１１）／（ｄ１２−ｄ１１）                                                                    （２）
但し、ｄ１０：指示撮影日
Ｖ１０：推定した体重
ｄ１１：テーブルＴ０に含まれる、指示撮影日前であって指示撮影日に最も近い測定日
ｄ１２：テーブルＴ０に含まれる、指示撮影日後であって指示撮影日に最も近い測定日
Ｖ１１：測定日ｄ１１における体重
Ｖ１２：測定部ｄ１２における体重
ここで、指示撮影日と一致する測定日がテーブルＴ０に記述されている場合には、テーブルＴ０に記述された測定日の体重を推定した体重とする。
【００５０】
そしてＣＰＵ９は、推定した体重を指示撮影日とともに体重表示フィールド３３に表示し（ステップＳＴ２６）、リターンする。
【００５１】
このように、第２の実施形態においては、サムネイル画像の一覧においてユーザが所望とするサムネイル画像を指示すると、そのサムネイル画像の撮影日における体重を推定して推定した体重を表示するようにしたものである。このため、ユーザは、赤ちゃんの所望とする画像を指示することにより、何ら手間のかかる作業を行わなくてもその画像の撮影日における赤ちゃんの体重を画像とともに見ることができ、これにより、赤ちゃんの成長記録を体重とともに楽しむことができる。
【００５２】
なお、上記第２の実施形態においては、サムネイル画像の一覧からユーザが所望とする画像を選択しているが、所望とする画像のファイル名を直接指定する等、任意の方法により画像を指定することができるものである。
【００５３】
次いで、本発明の第３の実施形態について説明する。上記第１および第２の実施形態においてはユーザが何らかの指示を行うことにより、サムネイル画像の一覧または推定した体重を表示しているが、第３の実施形態においては、体重を複数の区分に分類し、体重の区分のそれぞれに対応する測定日の区分に含まれる撮影日に取得された画像をハードディスク７に保存されたすべての画像データから区分毎に検索し、検索された画像データのサムネイル画像の一覧を体重の区分と対応づけて表示するようにしたものである。なお、第３の実施形態における画像表示装置は第１の実施形態による画像表示装置１と同様の構成を有する。
【００５４】
以下、第３の実施形態において行われる処理について説明する。図９は第３の実施形態において行われる処理を示すフローチャートである。ユーザが画像表示プログラムを実行する指示を入力部５を用いて行うことにより処理が開始され、ＣＰＵ９は画像表示プログラムにより、ハードディスク７に保存されたテーブルＴ０を参照して、体重を複数の区分に分類する（ステップＳＴ３１）。例えば、第３の実施形態においては、図２に示すテーブルＴ０において測定回数が３回のみ記述されているとすると、体重が３０００ｇ〜４０００ｇの範囲にあることから、３０００ｇ〜３２００ｇ、３２００ｇ〜３４００ｇ、３４００ｇ〜３６００ｇ、３６００ｇ〜３８００ｇ、３８００ｇ〜４０００ｇというように、２００ｇ単位で体重を５つの区分に分類する。
【００５５】
次いで、ＣＰＵ９は区分毎に測定日の区分を算出する（ステップＳＴ３２）。本実施形態においては体重を５つの区分に分類しており、最初の測定日が２００４年１月１日、最後の測定日が２００４年４月１日であるため、２００４年１月１日から２００４年４月１日までの日数を５等分して測定日の区分を算出する。
【００５６】
そして、測定日の区分のそれぞれに含まれる撮影日を表す撮影日情報が付与された画像データを、測定日の区分毎にハードディスク７から検索する（ステップＳＴ３３）。さらに測定日の区分毎に検索した画像データのサムネイル画像の一覧を生成し（ステップＳＴ３４）、サムネイル画像の一覧を体重の区分と対応づけて表示部３に表示し（ステップＳＴ３５）、リターンする。
【００５７】
図１０は第３の実施形態における表示画面を示す図である。図１０に示すように第３の実施形態における表示画面４１には、体重区分表示フィールド４３および画像一覧表示フィールド４５が表示される。
【００５８】
体重区分表示フィールド４３には、３０００ｇ〜３２００ｇ、３２００ｇ〜３４００ｇ、３４００ｇ〜３６００ｇ、３６００ｇ〜３８００ｇ、３８００ｇ〜４０００ｇというように、２００ｇ単位で体重の区分が表示される。
【００５９】
画像一覧表示フィールド４５は、体重の区分と対応づけてサムネイル画像の一覧が表示される。なお、画像一覧表示フィールド４５にはスクロールバー４５Ａが表示されており、これにより画像一覧表示フィールド４５に表示されたサムネイル画像の一覧をスクロールすることができる。
【００６０】
このように、第３の実施形態においては、体重を複数の区分に分類し、体重の区分のそれぞれに対応する測定日の区分に含まれる撮影日を表す撮影日情報が付与された画像データを測定日の区分毎に検索し、検索された画像データのサムネイル画像の一覧を体重の区分と対応づけて表示するようにしたものである。このため、赤ちゃんの体重の区分に応じた画像を容易に参照することができ、これにより、赤ちゃんの成長記録を体重とともに楽しむことができる。
【００６１】
なお、上記第１から第３の実施形態においては、赤ちゃんの体重と測定日との関係を保存しておき、これを参照して画像を検索したり、逆に画像から体重を推定したりしているが、経時により変化する測定値であれば体重以外の任意の測定値を用いてもよい。例えば、身長、血圧、血糖値等を用いてもよい。
【図面の簡単な説明】
【００６２】
【図１】本発明の第１の実施形態による画像表示装置の構成を示す概略ブロック図
【図２】赤ちゃんの月齢と体重との関係を表すテーブルの例を示す図
【図３】第１の実施形態において行われる処理を示すフローチャート
【図４】第１の実施形態における操作画面を示す図
【図５】月齢に応じて体重が増減する例を示す図
【図６】サムネイル画像が一覧表示された操作画面を示す図
【図７】第２の実施形態において行われる処理を示すフローチャート
【図８】第２の実施形態における操作画面を示す図
【図９】第３の実施形態において行われる処理を示すフローチャート
【図１０】第３の実施形態における表示画面を示す図
【符号の説明】
【００６３】
１    画像表示装置
３    表示部
５    入力部
７    ハードディスク
９    ＣＰＵ
１１  メモリ
１３  メモリカード
１５  カードドライブ
１７  Ｉ／Ｆ
１９  バス
【図１】
2005338984.tif 000003
【図２】
2005338984.tif 000004
【図３】
2005338984.tif 000005
【図４】
2005338984.tif 000006
【図５】
2005338984.tif 000007
【図６】
2005338984.tif 000008
【図７】
2005338984.tif 000009
【図８】
2005338984.tif 000010
【図９】
2005338984.tif 000011
【図１０】
2005338984.tif 000012